(57)【要約】【課題】取付け座部をスプリング支持板に対して所望の位置に正確に組付けやすくすることができるコイルスプリングインシュレータを提供する。【解決手段】筒部２と取付け座部６とを一体に備え、取付け座部６の外周縁部１３に、複数の第１突出壁１２Ａ，１２Ｂ，１２Ｃ，１２Ｄが分散配設されて、取付け座部６がスプリング支持板とコイルスプリングの一端部とに挟持されるとともに、複数の第１突出壁１２Ａ，１２Ｂ，１２Ｃ，１２Ｄが複数の第２突出壁に各別に内嵌するよう構成され、取付け座部６がスプリング支持板に対して所望の位置に着座した状態では、判別片１４が嵌合周壁の軸方向内方側から軸方向外方側に突出し、位置ずれして着座した状態では軸方向内方側に隠れるよう構成されている。【選択図】        図３
2006118659.tif 000002
【特許請求の範囲】
【請求項１】
コイルスプリングとショックアブソーバの間に位置して前記ショックアブソーバを覆う筒部と、前記ショックアブソーバのピストンロッドに連結されたスプリング支持板に着座するフランジ状の取付け座部とを一体に備え、
前記取付け座部の外周縁部に、前記取付け座部の座面とは反対側に突出する複数の第１突出壁が分散配設され、
前記取付け座部が、前記スプリング支持板に形成された嵌合周壁に内嵌して、前記スプリング支持板とコイルスプリングの一端部とに挟持されるとともに、前記複数の第１突出壁が、前記嵌合周壁に分散配設された複数の第２突出壁に各別に内嵌するように構成され、
前記取付け座部の周方向で前記第１突出壁の外方側に位置する前記取付け座部の外周縁部分に、前記スプリング支持板に対する前記取付け座部の位置ずれを判別するための１又は２以上の判別片が一体に形成され、前記取付け座部が前記スプリング支持板に対して所望の位置に着座した状態では、前記判別片が前記スプリング支持板の嵌合周壁の軸方向内方側から軸方向外方側に突出し、前記取付け座部が前記スプリング支持板に対して、前記スプリング支持板の径方向に設定量以上位置ずれして着座した状態では、前記判別片が前記嵌合周壁の軸方向内方側に位置して隠れるよう構成されているコイルスプリングインシュレータ。
【請求項２】
前記取付け座部の軸芯が前記筒部の軸芯に対して傾斜した状態に前記取付け座部の姿勢が設定され、前記判別片は前記外周縁部分に２個形成されており、前記複数の第１突出壁のうち最も前記筒部の軸方向内方側に位置する第１突出壁の両側に前記２個の判別片が各別に配置されている請求項１記載のコイルスプリングインシュレータ。
【請求項３】
前記判別片は前記外周縁部分から前記取付け座部の径方向外方側に突出している請求項１又は２記載のコイルスプリングインシュレータ。
【発明の詳細な説明】
【技術分野】
【０００１】
本発明はコイルスプリングインシュレータに関する。
【背景技術】
【０００２】
特許文献１に開示されているようにコイルスプリングインシュレータは、サスペンション機構のコイルスプリングとショックアブソーバの間に位置してショックアブソーバを覆う筒部と、ショックアブソーバのピストンロッドに連結されたスプリング支持板に着座するフランジ状の取付け座部とを一体に備えている。そして取付け座部の外周縁部に、取付け座部の座面とは反対側に突出する複数の第１突出壁が分散配設され、取付け座部がスプリング支持板とコイルスプリングの一端部とに挟持されるとともに、複数の第１突出壁が、スプリング支持板の外周縁部に分散配設された複数の第２突出壁に各別に内嵌するように構成されている。
【０００３】
この構造により、コイルスプリングからスプリング支持板に振動が伝わるのを取付け座部で抑制し、ショックアブソーバにダストが付着するのを筒部で防止する。また、第２突出壁が第１突出壁を介してコイルスプリングの一端部を受止めることで、コイルスプリングが径方向外方側に位置ずれするのを防止するとともに、第２突出壁にコイルスプリングから振動が伝わるのを抑制している。
【０００４】
従来、スプリング支持板の第２突出壁の先端（特許文献１では第２突出壁の下端）と取付け座部の第１突出壁の先端（特許文献１では第１突出壁の下端）とは、上下方向でほぼ同一位置に位置するか［特許文献１の図１０］、あるいは、第１突出壁の先端が第２突出壁の先端よりも僅かに突出しているだけであった［特許文献１の図１］。
【特許文献１】特開平１１−２６４４３３号公報
【発明の開示】
【発明が解決しようとする課題】
【０００５】
コイルスプリングインシュレータの取付け座部はスプリング支持板に、スプリング支持板の径方向で位置ずれして組付けられることがある。ところが、上記従来の構成によれば、スプリング支持板の第２突出壁の先端と取付け座部の第１突出壁の先端とが、上下方向でほぼ同一位置に位置するか、あるいは、第１突出壁の先端が第２突出壁の先端よりも僅かに突出しているだけであったために、取付け座部がスプリング支持板に位置ずれして組付けられたことを把握することが困難であった。
【０００６】
すなわち、取付け座部がスプリング支持板に位置ずれして着座すると、例えば、取付け座部の軸芯を挟んで位置する一対の第１突出壁のうち、一方の第１突出壁がスプリング支持板の第２突出壁の軸方向内方側に入り込み、他方の第１突出壁が第２突出壁の軸方向内方側から軸方向外方側に突出した状態になることから、その突出した他方の第１突出壁を観察することで上記の位置ずれを把握することができるが、他方の第１突出壁が作業者から見えにくい位置にあると位置ずれを把握するのが困難であった。また、前記一方の第１突出壁側を観察することによって前記位置ずれを把握することは不可能であった。
【０００７】
本発明の目的は、取付け座部をスプリング支持板に対して所望の位置に正確に組付けやすくすることができるコイルスプリングインシュレータを提供する点にある。
【課題を解決するための手段】
【０００８】
本発明の特徴は、
コイルスプリングとショックアブソーバの間に位置して前記ショックアブソーバを覆う筒部と、前記ショックアブソーバのピストンロッドに連結されたスプリング支持板に着座するフランジ状の取付け座部とを一体に備え、
前記取付け座部の外周縁部に、前記取付け座部の座面とは反対側に突出する複数の第１突出壁が分散配設され、
前記取付け座部が、前記スプリング支持板に形成された嵌合周壁に内嵌して、前記スプリング支持板とコイルスプリングの一端部とに挟持されるとともに、前記複数の第１突出壁が、前記嵌合周壁に分散配設された複数の第２突出壁に各別に内嵌するように構成され、
前記取付け座部の周方向で前記第１突出壁の外方側に位置する前記取付け座部の外周縁部分に、前記スプリング支持板に対する前記取付け座部の位置ずれを判別するための１又は２以上の判別片が一体に形成され、前記取付け座部が前記スプリング支持板に対して所望の位置に着座した状態では、前記判別片が前記スプリング支持板の嵌合周壁の軸方向内方側から軸方向外方側に突出し、前記取付け座部が前記スプリング支持板に対して、前記スプリング支持板の径方向に設定量以上位置ずれして着座した状態では、前記判別片が前記嵌合周壁の軸方向内方側に位置して隠れるよう構成されている点にある。
【０００９】
この構成によれば、取付け座部がスプリング支持板に着座した状態で、判別片がスプリング支持板の嵌合周壁の軸方向内方側からその嵌合周壁の軸方向外方側に突出していると、取付け座部がスプリング支持板に対して所望の位置に着座したと判別することができる。そして、判別片がスプリング支持板の嵌合周壁の軸方向内方側に位置して隠れていると、取付け座部がスプリング支持板に対して、スプリング支持板の径方向に設定量以上位置ずれして着座したと判別することができる。従って、取付け座部がスプリング支持板に対して位置ずれして着座したと判別した場合は、取付け座部をスプリング支持板に対して所望の位置に組付け直すことができる。
【００１０】
また、スプリング支持板に形成された嵌合周壁に取付け座部が内嵌することで、取付け座部がスプリング支持板の径方向に位置ずれするのを防止しやすくすることができる。例えば判別片を第１突出壁に形成して、スプリング支持板の第２突出壁の軸方向内方側からその第２突出壁の軸方向外方側に突出させる構造では、突出した判別片が他物に干渉しやすくなるという不具合がある。これに対して本発明の上記構成では、判別片は、取付け座部の周方向で第１突出壁の外方側に位置する取付け座部の外周縁部分に形成されて、スプリング支持板の嵌合周壁から突出するようになっているから、突出した判別片を第２突出壁の周方向の外方側に配置できて、他物と干渉しにくくすることができる。
【００１１】
本発明において、前記取付け座部の軸芯が前記筒部の軸芯に対して傾斜した状態に前記取付け座部の姿勢が設定され、前記判別片は前記外周縁部分に２個形成されており、前記複数の第１突出壁のうち最も前記筒部の軸方向内方側に位置する第１突出壁の両側に前記２個の判別片が各別に配置されている構成にすることができる。
【００１２】
上記の構成によれば、取付け座部の軸芯が筒部の軸芯に対して傾斜した構造のコイルスプリングインシュレータにおいて、スプリング支持板に対する取付け座部の位置ずれを判別しやすくなる。
【００１３】
本発明において、前記判別片は前記外周縁部分から前記取付け座部の径方向外方側に突出している構成にすることができる。この構成により、判別片はスプリング支持板の嵌合周壁に折り曲げられて嵌合周壁の軸方向内方側から軸方向外方側に突出し、あるいは、嵌合周壁に折り曲げられて嵌合周壁の軸方向内方側に位置するようになる。
【発明の効果】
【００１４】
本発明によれば、取付け座部をスプリング支持板に対して所望の位置に正確に組付けやすくすることができるコイルスプリングインシュレータを提供することができた。
【発明を実施するための最良の形態】
【００１５】
以下、本発明の実施の形態を図面に基づいて説明する。図１〜図７にゴム製のコイルスプリングインシュレータを示してある。このコイルスプリングインシュレータは、サスペンション機構のコイルスプリング４とショックアブソーバ１の間に位置してショックアブソーバ１を覆う蛇腹状の筒部２と、ショックアブソーバ１のピストンロッド７の先端部に連結された上側のスプリング支持板５に着座するフランジ状の取付け座部６とを一体に備えている。
【００１６】
筒部２は縦形の円筒で、筒部２の上端部２Ｃが上端縁側ほど大径のテーパー部９に形成され、このテーパー部９の開口部２Ｂに取付け座部６が一体に連なって径方向外方側に張出している。テーパー部９に蛇腹部は設けられていない。ピストンロッド７の先端部はスプリング支持板５の中央部を貫通しており、前記先端部がボルト・ナット（図示せず）を介してスプリング支持板５の中央部に連結されている。スプリング支持板５は金属で形成されている。
【００１７】
取付け座部６は厚肉のリング円板状に形成され、取付け座部６の軸方向の上端面である座面２６に多数の凹部１０が放射状に形成されている。これらの凹部１０によって取付け座部６を所望のばね特性に設定することができる。そして、取付け座部６の外周縁部１３に、座面２６とは反対側Ｗに突出する４個の薄肉の第１突出壁１２Ａ，１２Ｂ，１２Ｃ，１２Ｄが分散配設され、取付け座部６が、スプリング支持板６の外周縁部５Ｃに形成された嵌合周壁１１に内嵌して、スプリング支持板５とコイルスプリング４の上端部４Ｃ（一端部に相当）とに挟持されるとともに、４個の第１突出壁１２Ａ，１２Ｂ，１２Ｃ，１２Ｄが、前記嵌合周壁１１に分散配設された４個の第２突出壁１１Ａ，１１Ｂ，１１Ｃ，１１Ｄ（図１，図１０参照）に各別に内嵌するように構成されている。前記嵌合周壁１１はスプリング支持板６の全周にわたって形成されている。
【００１８】
４個の第１突出壁１２Ａ，１２Ｂ，１２Ｃ，１２Ｄは、取付け座部６の軸芯方向視で取付け座部６の周方向Ｖに沿う円弧状に形成されている。前記周方向Ｖにおける第１突出壁１２Ａ（又は１２Ｂ，又は１２Ｃ，又は１２Ｄ）の一端と取付け座部６の軸芯Ｐを結ぶ線と、他端と取付け座部６の軸芯Ｐを結ぶ線とが成す角度は５０度〜７０度に設定されている。第１突出壁１２Ａ，１２Ｂ，１２Ｃ，１２Ｄの取付け座部６からの突出長さは、スプリング支持板５とコイルスプリング４の上端部４Ｃとに挟持される取付け座部６の被挟持部の肉厚よりも短く設定されている。嵌合周壁１１に内嵌する取付け座部６の外周部と、この取付け座部６の第１突出壁１２Ａ，１２Ｂ，１２Ｃ，１２Ｄと、嵌合周壁１１と、第２突出壁１１Ａ，１１Ｂ，１１Ｃ，１１Ｄとは下広がりのテーパー状（詳しくは座面２６とは反対側Ｗほど大径のテーパ状）に形成されている。コイルスプリング４の下端部は、ショックアブソーバ１のシリンダチューブ８に連結された下側のスプリング支持板（図示せず）に下側から受止め支持されている。
【００１９】
図２に示すように、前記取付け座部６の軸芯Ｐが筒部２の軸芯Ｏに対して傾斜した状態に取付け座部６の姿勢が設定されている。すなわち、４個の第１突出壁１２Ａ〜１２Ｄのうちの一つの第１突出壁１２Ａが、他の３つの第１突出壁１２Ｂ〜１２Ｄよりも筒部２の軸方向内方Ｎ側（下側）に位置するように、取付け座部６の軸芯Ｐが筒部２の軸芯Ｏに対して傾斜している。前記一つの第１突出壁１２Ａと、取付け座部６の軸芯Ｐを挟んで前記一つの第１突出壁１２Ａとは反対側に位置する第１突出壁１２Ｃとが車体の左右方向に対応する方向Ｇ（図３参照）に並び、前記一つの第１突出壁１２Ａが、前記反対側に位置する第１突出壁１２Ｃよりも車体の左右内方側に位置するようになっている。
【００２０】
図３，図８に示すように、前記取付け座部６の周方向Ｖで前記一つの第１突出壁１２Ａの外方側に位置する記取付け座部６の外周縁部分３２に、スプリング支持板５に対する取付け座部６の位置ずれを判別するための一対の薄肉の判別片１４が一体に形成されている。一対の判別片１４は、前記一つの第１突出壁１２Ａ（４個の第１突出壁１２Ａ〜１２Ｄのうち最も筒部２の軸方向内方側Ｎに位置する第１突出壁１２Ａ）の両側で、かつ、前記一つの第１突出壁１２Ａの近傍に各別に配置されている。図３，図８に示すように一対の判別片１４は、前記外周縁部分３２から取付け座部６の径方向外方側Ｋに突出している。また、一対の判別片１４の突出端１４Ｃは円弧状に設定されている。
【００２１】
そして、取付け座部６がスプリング支持板５に対して所望の位置に着座した第１状態では、各判別片１４がスプリング支持板５の嵌合周壁１１の軸方向内方側から軸方向外方側Ｓ１に突出し（図９，図１１参照）、取付け座部６がスプリング支持板５に対して、スプリング支持板５の径方向Ｈに設定量以上位置ずれして着座した第２状態では、各判別片１４が嵌合周壁１１の軸方向内方側Ｓ２に位置して嵌合周壁１１内に隠れるよう構成されている。判別片１４は前記第１状態と第２状態のいずれの状態でも嵌合周壁１１によって下側に折り曲げられる（図９参照）。
【００２２】
取付け座部６をスプリング支持板５に対して組付け状態では、嵌合周壁１１からの一方の判別片１４の突出量が、他方の判別片１４の突出量よりも大きい場合や小さい場合があるが、一対の判別片１４の両方とも嵌合周壁１１から突出している場合は前記第１状態にあると判別する。そして、少なくとも一方の判別片１４が嵌合周壁１１内に位置して隠れている場合は前記第２状態にあると判別する。
［別実施形態］
【００２３】
前記判別片１４の数は１個又は３個以上であってもよい。本発明は、前記取付け座部６の軸芯Ｐが筒部２の軸芯Ｏに対して傾斜してない状態に前記取付け座部６の姿勢が設定されている構造（取付け座部６と筒部２とが直交している構造）のコイルスプリングインシュレータにも適用することができる。
【図面の簡単な説明】
【００２４】
【図１】コイルスプリングインシュレータの取付け状態を示す縦断面図
【図２】コイルスプリングインシュレータの縦断面図
【図３】取付け座部等を取付け座部の軸芯方向から見た図
【図４】図３のＥ視図
【図５】図３のＢ視図
【図６】図３のＣ−Ｃ断面図
【図７】図３のＦ−Ｆ断面図
【図８】図３のＤ−Ｄ断面図
【図９】取付け座部がスプリング支持板に対して所望の位置に組付けられた状態を示す縦断面図
【図１０】スプリング支持板の正面図
【図１１】取付け座部がスプリング支持板に対して所望の位置に組付けられた状態を示す図
【符号の説明】
【００２５】
１……ショックアブソーバ、２……筒部、４……コイルスプリング、４Ｃ……コイルスプリングの一端部、５……スプリング支持板、６……取付け座部、７……ピストンロッド、１１……嵌合周壁、１１Ａ，１１Ｂ，１１Ｃ，１１Ｄ……第２突出壁、１２Ａ，１２Ｂ，１２Ｃ，１２Ｄ……第１突出壁、１３……取付け座部の外周縁部、１４……判別片、２６……取付け座部の座面、３２……外周縁部分、Ｈ……スプリング支持板の径方向、Ｋ……取付け座部の径方向外方側、Ｎ……筒部の軸方向内方側、Ｏ……筒部の軸芯、Ｐ……取付け座部の軸芯、Ｓ１……嵌合周壁の軸方向外方側、Ｓ２……嵌合周壁の軸方向内方側、Ｖ……取付け座部の周方向、Ｗ……取付け座部の座面とは反対側
【図１】
2006118659.tif 000003
【図２】
2006118659.tif 000004
【図３】
2006118659.tif 000005
【図４】
2006118659.tif 000006
【図５】
2006118659.tif 000007
【図６】
2006118659.tif 000008
【図７】
2006118659.tif 000009
【図８】
2006118659.tif 000010
【図９】
2006118659.tif 000011
【図１０】
2006118659.tif 000012
【図１１】
2006118659.tif 000013